(57)【要約】【課題】  放送を受信して再生するとともに、放送されたコンテンツの関連情報を取得するためのユーザの初期設定を、関連情報提供のサービスへの加入・非加入に関係なく簡単に行うことが可能な情報処理装置を提供する。【解決手段】  送信手段１ｃは、放送信号受信手段１ａにより受信される放送信号内のコンテンツに関連する関連情報を要求する要求情報を、受信される放送信号に対応する放送局を識別する放送局識別情報とともに送信する。送信した要求情報に対応する関連情報は関連情報受信手段１ｄにより受信され、表示手段１ｅにより表示される。対応情報記憶手段１ｆには、複数の放送局名、受信するための周波数、および放送局識別情報が対応付けられた放送局対応情報があらかじめ記憶されるので、受信可能な放送信号の周波数を、放送局対応情報に基づいて放送局名および放送局識別情報に対応付けることができる。【選択図】  図１
2005109637.tif 000002
【特許請求の範囲】
【請求項１】
放送を受信して再生するとともに、放送されたコンテンツに関連する情報を取得することが可能な情報処理装置において、
特定の周波数の放送信号を受信する放送信号受信手段と、
前記放送信号受信手段により受信された放送信号を再生する放送信号再生手段と、
前記放送信号受信手段により受信される放送信号内のコンテンツに関連する関連情報を要求する要求情報を、受信される放送信号に対応する放送局を識別する放送局識別情報とともに送信する送信手段と、
前記要求情報に対応する前記関連情報を受信する関連情報受信手段と、
前記関連情報受信手段により受信された前記関連情報を表示する表示手段と、
複数の放送局名、受信するための周波数、および前記放送局識別情報が対応付けられた放送局対応情報があらかじめ記憶される対応情報記憶手段と、
を有することを特徴とする情報処理装置。
【請求項２】
前記放送信号受信手段により受信される放送信号の周波数と、前記対応情報記憶手段に記憶された前記放送局対応情報内で当該周波数に対応する前記放送局名および前記放送局識別情報とを関連付けて記憶する受信設定記憶手段をさらに有することを特徴とする請求項１記載の情報処理装置。
【請求項３】
前記放送信号受信手段により放送信号が受信された周波数を自動的に検出する受信周波数検出手段をさらに有し、
前記受信設定記憶手段は、前記放送局対応情報内の周波数のうち、前記受信周波数検出手段により検出された周波数と一致した周波数に対応する前記放送局名および前記放送局識別情報を、当該周波数に関連付けて自動的に記憶する、
ことを特徴とする請求項２記載の情報処理装置。
【請求項４】
前記受信設定記憶手段は、前記受信周波数検出手段により検出された周波数のうち、前記放送局対応情報内の周波数と一致しない周波数については、ユーザ入力に基づき、当該周波数を前記放送局対応情報内の任意の前記放送局名および対応する前記放送局識別情報に関連付けて記憶することを特徴とする請求項３記載の情報処理装置。
【請求項５】
前記受信設定記憶手段に記憶された周波数がユーザ入力に基づいて選択されると、選択された前記周波数が前記放送信号受信手段の受信周波数として設定されるとともに、選択された前記周波数に対応する前記放送局識別情報が前記要求情報とともに前記送信手段により送信されることを特徴とする請求項２記載の情報処理装置。
【請求項６】
前記放送局対応情報には、前記放送局名、前記周波数および前記放送局識別情報が受信可能な地域を示す地域情報に対応付けられており、
ユーザ入力により選択された前記地域情報に基づいて、前記放送信号受信手段により受信された放送信号の周波数と、前記対応情報記憶手段に記憶された前記放送局対応情報内で当該周波数および選択された前記地域情報に対応する前記放送局名および前記放送局識別情報とを関連付けて記憶する地域別受信設定記憶手段をさらに有することを特徴とする請求項１記載の情報処理装置。
【請求項７】
ユーザ入力に基づいて、前記対応情報記憶手段に記憶された前記放送局対応情報の記憶内容を更新する更新手段をさらに有することを特徴とする請求項１記載の情報処理装置。
【請求項８】
前記送信手段により送信された前記放送局識別情報により識別される放送局に対応する前記関連情報の提供元の位置情報を受信する位置情報受信手段をさらに有し、
前記関連情報受信手段は、前記位置情報受信手段により受信された前記位置情報に基づいて前記関連情報の提供元から前記関連情報を受信する、
ことを特徴とする請求項１記載の情報処理装置。
【請求項９】
前記送信手段は、前記要求情報および前記放送局識別情報を、特定時間間隔で連続的に送信することを特徴とする請求項１記載の情報処理装置。
【請求項１０】
放送を受信して再生するとともに、放送されたコンテンツに関連する情報を取得することが可能な情報処理装置を用いた情報処理方法であって、
複数の放送局名と、受信するための周波数と、放送局を識別する放送局識別情報とが対応付けられた放送局対応情報をあらかじめ記憶しておき、前記情報処理装置において受信された放送信号の周波数と、前記放送局対応情報内で当該周波数に対応する前記放送局名および前記放送局識別情報とを関連付けて記憶する受信設定記憶ステップと、
前記情報処理装置において受信される放送信号内のコンテンツに関連する関連情報を要求する要求情報を、受信される放送信号の周波数に対して前記受信設定記憶ステップで関連付けられた前記放送局識別情報とともに送信する送信ステップと、
前記要求情報に対応する前記関連情報を受信する関連情報受信ステップと、
前記関連情報受信ステップで受信した前記関連情報を表示する表示ステップと、
を備えることを特徴とする情報処理方法。
【請求項１１】
前記放送局対応情報には、前記放送局名、前記周波数および前記放送局識別情報が受信可能な地域を示す地域情報に対応付けられており、
前記受信設定記憶ステップでは、ユーザ入力により選択された前記地域情報に基づいて、前記情報処理装置において受信される放送信号の周波数と、前記放送局対応情報内で当該周波数および選択された前記地域情報に対応する前記放送局名および前記放送局識別情報とを関連付けて記憶する、
ことを特徴とする請求項１０記載の情報処理方法。
【請求項１２】
前記受信設定記憶ステップでは、前記情報処置装置において放送信号が受信された周波数を自動的に検出し、前記放送局対応情報内の周波数のうち、自動的に検出された周波数と一致した周波数に対応する前記放送局名および前記放送局識別情報を、当該周波数に関連付けて自動的に記憶する、
ことを特徴とする請求項１０記載の情報処理方法。
【請求項１３】
前記受信設定記憶ステップでは、自動的に検出された周波数のうち、前記放送局対応情報内の周波数と一致しない周波数については、ユーザ入力に基づき、当該周波数を前記放送局対応情報内の任意の前記放送局名および対応する前記放送局識別情報に関連付けて記憶することを特徴とする請求項１２記載の情報処理方法。
【請求項１４】
放送信号を受信する周波数を設定するとともに、放送されたコンテンツに関連する情報を取得する処理をコンピュータに実行させるための情報処理プログラムにおいて、
複数の放送局名と、受信するための周波数と、放送局を識別する放送局識別情報とが対応付けられた放送局対応情報をあらかじめ記憶しておき、受信された放送信号の周波数と、前記放送局対応情報内で当該周波数に対応する前記放送局名および前記放送局識別情報とを関連付けて記憶する受信設定記憶ステップと、
受信される放送信号内のコンテンツに関連する関連情報を要求する要求情報を、受信される放送信号の周波数に対して前記受信設定記憶ステップで関連付けられた前記放送局識別情報とともに送信する送信ステップと、
前記要求情報に対応する前記関連情報を受信する関連情報受信ステップと、
前記関連情報受信ステップで受信した前記関連情報を表示する表示ステップと、
を含む処理を前記コンピュータに実行させることを特徴とする情報処理プログラム。
【発明の詳細な説明】
【技術分野】
【０００１】
本発明は、放送を受信して再生するとともに、放送されたコンテンツに関連する情報を取得することが可能な情報処理装置、この情報処理装置における情報処理方法、および情報処理プログラムに関する。
【背景技術】
【０００２】
近年、ＦＭ放送などの放送局は、自局で放送した番組やその中で放送した楽曲などの情報を、インターネットを通じて提供していることが多い。そこで、最近では、ラジオの受信機能を備えるオーディオ機器にインターネット接続機能を設け、放送された楽曲の関連情報などをこのオーディオ機器によりインターネットを通じて取得可能にするサービスが考えられている。この情報提供サービスでは、たとえば、ＦＭ放送の受信中に、放送された楽曲をユーザが気に入った場合に、情報提供を行っているサーバにアクセスして、その楽曲の関連情報を受信し、オーディオ機器のディスプレイ上に表示させることができる。また、受信した関連情報を保存しておくこともできる。
【０００３】
また、オーディオ機器では、受信周波数を特定の値に合わせることで、ラジオ放送を受信することが可能となる。このような操作を容易にするために、最近のオーディオ機器では、受信可能な複数の周波数をプリセットしておき、ボタン操作などによりプリセット番号を指定するだけで受信周波数を合わせることが可能となっているものが多い。また、このような受信可能な周波数の設定を自動的に行う機能を具備しているものもある。
【０００４】
一方、上記のような情報提供サービスを利用するためには、プリセットした受信周波数に対応する放送局についての情報提供を行っているサーバやＷｅｂページなどを指定する必要がある。さらに、各ラジオ放送局からの放送信号は、受信可能な地域が限定されるので、同じ放送周波数を離れた地域に位置する複数のラジオ局が使用している場合がある。このため、ラジオ放送局の識別は放送周波数だけでは行うことが不可能であり、各放送局に固有に割り振られた「コールサイン」と呼ばれる識別番号が用いられる。
【０００５】
オーディオ機器を用いて上記の情報提供サービスを利用するための手順は、たとえば以下のようになる。まず、このサービスの提供のために、各放送局の番組や放送楽曲などの関連情報を提供するサーバとともに、上記の情報提供サービスを管理するためのサービス管理サーバを設けておく。ユーザは、事前にサービス管理サーバにアクセスして、サービス利用のための会員登録を行い、ユーザＩＤやパスワードなどの認証に必要な情報を取得しておく。
【０００６】
そして、オーディオ機器において周波数のプリセットを行う際に、サービス管理サーバにアクセスし、ユーザ認証の後に、受信可能な周波数と、受信している地域を特定する情報（たとえば郵便番号など）とを送信する。サービス管理サーバは、これらの受信情報から、オーディオ機器で受信している放送局名およびコールサインを特定して、オーディオ機器に通知する。オーディオ機器は、サービス管理サーバからの通知に基づいて、放送局名およびコールサインをプリセット番号および周波数に関連付けて記憶することで、受信地域に応じて放送局名などが正確にプリセットされる。
【０００７】
さらに、番組や放送楽曲などの関連情報を取得する際には、ユーザがオーディオ機器上でプリセット番号により放送局を指定することで、それに対応するコールサインがサービス管理サーバに送信される。サービス管理サーバは、ユーザ認証の後に、そのコールサインに対応する情報提供サイトのＵＲＬ（Uniform Resource Locator）をオーディオ機器に送信する。これにより、オーディオ機器はそのＵＲＬにアクセスして、番組や放送楽曲などの関連情報の提供を受けることが可能となる。
【０００８】
なお、従来の関連技術として、ユーザが操作する各端末装置が、複数のクレジットカード会社の決済システムと接続された課金プロキシを介して、各種情報を提供するインフォメーションプロバイダに接続するような構成とし、課金プロキシにおいて、ユーザの個人情報としてクレジットカードの有効期限に応じて、ユーザに異なるサービスを提供する構成とすることで、ユーザごとに変化に富んだ情報が提供されるとともに、サーバシステムの負担が軽減された情報処理方法があった（たとえば、特許文献１参照）。
【特許文献１】特開平９−１１４７８３号公報（段落番号〔００１４〕〜〔０１０４〕、図１）
【発明の開示】
【発明が解決しようとする課題】
【０００９】
上記のようなプリセットを行うことにより、オーディオ機器では、プリセット番号を選択すると、それに関連付けられた放送局名を表示させて確認し、放送局を選局することができる。また、プリセット番号にコールサインが関連付けられていることで、選局した放送局に対応する情報提供サイトのＵＲＬを特定し、アクセスすることが可能となる。さらに、受信地域に対応するコールサインや、情報提供サイトのＵＲＬをサービス管理サーバから取得するためには、基本的には事前にサービスの会員登録を済ませておく必要がある。
【００１０】
しかし、上記の情報提供サービスの利用が可能なオーディオ機器を購入したユーザは、サービスの会員登録を行う以前でも放送を受信しようとするために、非会員の段階で周波数のプリセットを行うことが多い。このときにはサービス管理サーバへのアクセス権を持たないため、プリセット番号および周波数に対して、たとえば放送局名をキー操作でマニュアル入力し、記憶させることになる。しかし、これではコールサインを記憶させることができないので、後に情報提供サービスの会員登録を行い、サービスを利用する際に、受信地域に応じたコールサインをあらためて取得して記憶させる必要があり、ユーザにとって不便であることが問題であった。
【００１１】
また、上記のようなオーディオ機器を購入したユーザは、頻繁に視聴または聴取する放送局について、その放送局での放送楽曲の関連情報を取得したいと考え、サービスの会員登録を行うことが多い。しかし、すべての放送局について関連情報が提供されているとは限らない。ここで、プリセット番号とコールサインとが関連付けて記憶されていれば、サービス管理サーバにコールサインを送信したときの応答情報を表示することで、対応する放送局の関連情報が提供されているか否かをユーザが容易に確認することができる。しかし、サービスの非会員の段階では、コールサインが記憶されていないため、情報提供の有無をオーディオ機器上で容易に確認することができないことが問題となっていた。
【００１２】
本発明はこのような点に鑑みてなされたものであり、放送を受信して再生するとともに、放送されたコンテンツの関連情報を取得するためのユーザの初期設定を、関連情報提供のサービスへの加入・非加入に関係なく簡単に行うことが可能な情報処理装置を提供することを目的とする。
【００１３】
また、本発明の他の目的は、放送を受信して再生するとともに、放送されたコンテンツの関連情報を取得することが可能な情報処理装置において、関連情報提供のサービスへの加入・非加入に関係なくユーザの初期設定を簡単に行うことが可能な情報処理方法を提供することである。
【００１４】
さらに、本発明の他の目的は、放送を受信して再生するとともに、放送されたコンテンツの関連情報を取得するためのユーザの初期設定を、関連情報提供のサービスへの加入・非加入に関係なく簡単に行うことが可能な情報処理プログラムを提供することである。
【課題を解決するための手段】
【００１５】
本発明では上記課題を解決するために、放送を受信して再生するとともに、放送されたコンテンツに関連する情報を取得することが可能な情報処理装置において、特定の周波数の放送信号を受信する放送信号受信手段と、前記放送信号受信手段により受信された放送信号を再生する放送信号再生手段と、前記放送信号受信手段により受信される放送信号内のコンテンツに関連する関連情報を要求する要求情報を、受信される放送信号に対応する放送局を識別する放送局識別情報とともに送信する送信手段と、前記要求情報に対応する前記関連情報を受信する関連情報受信手段と、前記関連情報受信手段により受信された前記関連情報を表示する表示手段と、複数の放送局名、受信するための周波数、および前記放送局識別情報が対応付けられた放送局対応情報があらかじめ記憶される対応情報記憶手段とを有することを特徴とする情報処理装置が提供される。
【００１６】
このような情報処理装置では、放送信号受信手段により特定の周波数の放送信号が受信され、受信された放送信号が放送信号再生手段により再生される。また、送信手段は、放送信号受信手段により受信される放送信号内のコンテンツに関連する関連情報を要求する要求情報を、受信される放送信号に対応する放送局を識別する放送局識別情報とともに送信する。そして、送信した要求情報に対応する関連情報が関連情報受信手段により受信され、表示手段により表示される。また、対応情報記憶手段には、複数の放送局名、受信するための周波数、および放送局識別情報が対応付けられた放送局対応情報があらかじめ記憶される。これにより、放送信号受信手段により受信可能な放送信号の周波数を、あらかじめ記憶された放送局対応情報に基づいて放送局名および放送局識別情報に対応付けることができ、外部装置から情報を取得することなく、選局した放送局をユーザが認識可能となるとともに、関連情報を要求してこれを受信することが可能となる。
【００１７】
また、本発明では、放送を受信して再生するとともに、放送されたコンテンツに関連する情報を取得することが可能な情報処理装置を用いた情報処理方法であって、複数の放送局名と、受信するための周波数と、放送局を識別する放送局識別情報とが対応付けられた放送局対応情報をあらかじめ記憶しておき、前記情報処理装置において受信された放送信号の周波数と、前記放送局対応情報内で当該周波数に対応する前記放送局名および前記放送局識別情報とを関連付けて記憶する受信設定記憶ステップと、前記情報処理装置において受信される放送信号内のコンテンツに関連する関連情報を要求する要求情報を、受信される放送信号の周波数に対して前記受信設定記憶ステップで関連付けられた前記放送局識別情報とともに送信する送信ステップと、前記要求情報に対応する前記関連情報を受信する関連情報受信ステップと、前記関連情報受信ステップで受信した前記関連情報を表示する表示ステップとを備えることを特徴とする情報処理方法が提供される。
【００１８】
このような情報処理方法では、複数の放送局名と、受信するための周波数と、放送局を識別する放送局識別情報とが対応付けられた放送局対応情報があらかじめ記憶され、受信設定記憶ステップにおいて、この情報処理装置において受信された放送信号の周波数と、放送局対応情報内で当該周波数に対応する放送局名および放送局識別情報とが関連付けて記憶される。また、送信ステップでは、情報処理装置において受信される放送信号内のコンテンツに関連する関連情報を要求する要求情報が、受信される放送信号の周波数に対して受信設定記憶ステップで関連付けられた放送局識別情報とともに送信される。そして、この要求情報に対応する関連情報が関連情報受信ステップで受信され、受信した関連情報が表示ステップで表示される。これにより、情報処理装置において受信可能な放送信号の周波数を、あらかじめ記憶された放送局対応情報に基づいて放送局名および放送局識別情報に対応付けることができ、外部装置から情報を取得することなく、選局した放送局をユーザが認識可能となるとともに、関連情報を要求してこれを受信することが可能となる。
【発明の効果】
【００１９】
本発明の情報処理装置によれば、放送局対応情報があらかじめ記憶されたことにより、外部装置から情報を取得することなく、選局した放送局をユーザが認識可能となるとともに、関連情報を要求してこれを受信することが可能となる。従って、たとえば関連情報提供のサービスの非会員であっても、会員登録後に、サービス享受に必要な放送局識別情報を設定する操作を行う必要がなくなり、操作の手間が軽減される。
【００２０】
また、本発明の情報処理方法によれば、放送局対応情報をあらかじめ記憶しておくことにより、外部装置から情報を取得することなく、選局した放送局をユーザが認識可能となるとともに、関連情報を要求してこれを受信することが可能となる。従って、たとえば関連情報提供のサービスの非会員であっても、会員登録後に、サービス享受に必要な放送局識別情報を設定する操作を行う必要がなくなり、操作の手間が軽減される。
【発明を実施するための最良の形態】
【００２１】
以下、本発明の実施の形態について図面を参照して詳細に説明する。
図１は、本発明を適用したネットワークシステムの動作原理を示す説明図である。まず、この図１を用いて、本発明の概要について説明する。
【００２２】
図１に示すネットワークシステムは、本発明が適用される情報処理装置１と、放送局が放送している番組や楽曲の関連情報を提供する放送局情報サーバ２と、関連情報サービス全般に関わる処理を行う総合サーバ３とが、ネットワーク４により接続された構成を有している。
【００２３】
放送局情報サーバ２は、情報処理装置１に対して、放送された楽曲の関連情報などを提供する。この放送局情報サーバ２は、たとえば放送局ごとに設けられる。総合サーバ３は、関連情報提供サービスに関わる総合的な処理を行うサーバであり、たとえば、このサービスに対するユーザの登録処理や認証処理、および関連情報の提供元となる放送局情報サーバ２の位置情報を通知する処理などを行う。
【００２４】
情報処理装置１は、放送を受信して再生出力する放送受信機能と、放送局情報サーバ２からの関連情報提供サービスを受けるための機能とを具備している。放送受信機能は、特定の周波数の放送信号を電波あるいはケーブルから受信する放送信号受信手段１ａと、受信された放送信号を再生する放送信号再生手段１ｂにより実現される。また、関連情報提供サービスを受けるための機能は、送信手段１ｃ、関連情報受信手段１ｄおよび表示手段１ｅにより実現される。さらに、各機能を利用するための設定機能として、対応情報記憶手段１ｆおよび受信設定記憶手段１ｇが設けられている。
【００２５】
送信手段１ｃは、放送信号受信手段１ａにより受信される放送信号内のコンテンツに関連する関連情報を要求する要求情報を、当該放送信号に対応する放送局を識別する放送局識別情報とともに送信する。関連情報受信手段１ｄは、送信された要求情報に対応する関連情報を受信する。表示手段１ｅは、関連情報受信手段１ｄにより受信された関連情報を表示する。
【００２６】
対応情報記憶手段１ｆには、複数の放送局名、受信するための周波数、および放送局識別情報が対応付けられた放送局対応情報があらかじめ記憶される。受信設定記憶手段１ｇは、放送信号受信手段１ａにより受信される放送信号の周波数と、対応情報記憶手段１ｆに記憶された放送局対応情報内で当該周波数に対応する放送局名および放送局識別情報とを関連付けて記憶する。
【００２７】
以下、このネットワークシステムの動作について説明する。
情報処理装置１では、放送信号受信手段１ａにより、たとえばラジオ放送などを受信し、放送信号再生手段１ｂにより再生することで、ユーザはこの放送を聴取することができる。そして、たとえば放送された楽曲が気になった場合などに、その放送局に対応する放送局情報サーバ２より、楽曲などの放送コンテンツの関連情報などを取得することができる。そのためには、まず、送信手段１ｃにより、関連情報を要求する要求情報を、当該放送局を識別する放送局識別情報とともに総合サーバ３に送信する。図１の例では、放送局識別情報を受信した総合サーバ３が、その放送局に対応する放送局情報サーバ２のネットワーク４上の位置情報（たとえばＵＲＬ）を情報処理装置１に返信し、情報処理装置１がこの位置情報を基に放送局情報サーバ２にアクセスする。放送局情報サーバ２は、この時点で放送している楽曲など、放送コンテンツの関連情報を情報処理装置１に送信する。情報処理装置１では、関連情報受信手段１ｄがこの関連情報を受信し、受信した関連情報を表示手段１ｅに表示させることができる。
【００２８】
ところで、放送信号受信手段１ａにより放送を受信する際には、受信周波数をあらかじめ設定して呼び出し可能にしておくとともに、その周波数に対応する放送局名などを表示するようにしておくことが望ましい。また、所望の放送局に対応する関連情報を取得するためには、その放送局に対応する放送局識別情報が必要となるので、周波数の設定の際に放送局識別情報も関連付けて設定しておく必要がある。
【００２９】
このために、上記の情報処理装置１では、受信する周波数と、それに対応する放送局名および放送局識別情報とを対応付けた対応情報が、対応情報記憶手段１ｆによってあらかじめ記憶されている。従って、情報処理装置１を購入したユーザは、記憶された対応情報を用いて、受信したい放送の周波数、放送局名および放送局識別情報を設定することが可能となる。図１の例では、受信設定記憶手段１ｇにより、これらの情報をたとえばプリセット番号に関連付けて記憶し、後からプリセット番号を指定することで、各情報を放送信号受信手段１ａや送信手段１ｃに設定することが可能となっている。
【００３０】
以上のように、情報処理装置１において対応情報をあらかじめ記憶しておくことで、以下のような利点が生まれる。まず、ユーザが受信設定記憶手段１ｇにより周波数などの設定を行う際に、設定した周波数に対応する放送局名を対応情報内の放送局名から選択することで、文字入力などの複雑な入力操作を行わずに、放送局名を設定することができる。また、このとき同時に、対応情報から放送局識別情報を読み出して設定することができるので、関連情報提供サービスを即座に利用することが可能となる。
【００３１】
放送局識別情報は通常ユーザが知らないことが多い情報であるため、たとえば総合サーバにおいて、周波数に対応する放送局識別情報を検索して通知するサービスを行っている場合が考えられる。しかし、総合サーバ３（と放送局情報サーバ２）からの情報提供を受けるためには、事前に会員登録が必要となる場合が考えられる。このため、情報処理装置１を購入した非会員のユーザが受信設定記憶手段１ｇに対して周波数の設定を行った際には、放送局識別情報を設定することができず、会員登録後にあらためて設定し直す必要が生じる。対応情報をあらかじめ記憶しておくことで、このような再設定操作の必要がなくなる。
【００３２】
また、非会員のユーザは、自分がよく視聴または聴取する放送局の情報提供を受けたいと考えて、会員登録を行う場合が多い。しかし、すべての放送局が情報提供を行っているとは限らないため、総合サーバ３が、情報処理装置１から放送局識別情報の通知を受けることで、対応する放送局が関連情報の提供サービスを行っているか否かをユーザに知らせるサービスを無料で行うことが考えられる。このような場合に、本発明の情報処理装置１によれば、非会員であっても放送局識別情報を対応情報から抽出して総合サーバ３に送信することができるので、会員登録前に、所望の放送局による情報提供サービスの有無を確認することが可能となる。
【００３３】
なお、上記の情報処理装置１では、放送を受信した周波数ではなく、放送局識別情報を用いて放送局を特定し、その情報提供元の位置情報を取得することで、たとえば、同じ放送局からの放送が地方によって異なる周波数で放送されていた場合などにも、所望の放送局からの情報を確実に得ることが可能となっている。このため、対応情報では、周波数、放送局名および放送局識別情報に、その放送を受信可能な地域を特定する地域情報がさらに対応付けられていることが望ましい。この場合、受信設定記憶手段１ｇにおける記憶操作の際に、ユーザが受信している地域を入力させることで、その地域に応じた放送局名および放送局識別情報を記憶させることができる。
【００３４】
次に、上記のネットワークシステムの具体例を示し、本発明の実施の形態についてより詳しく説明する。なお、以下の説明では、楽曲または楽曲集合に関する関連情報を二次記憶装置に保存（保管）する処理を、クリップと呼ぶこととする。また、クリップによって保存された情報を、クリップ情報と呼ぶこととする。
【００３５】
図２は、本発明の実施の形態に係るネットワークシステムの構成例を示す図である。
端末装置１０は、ネットワーク３０を介して各種サーバに接続されている。ネットワーク３０は、たとえば、インターネットである。サーバとしては、ＣＤタイトル情報提供サーバ３１、放送局サーバ３２、音楽配信サーバ３３、ＣＤショップサーバ３４、インターネットラジオサーバ３５、総合サービスサーバ３６などがある。
【００３６】
ＣＤタイトル情報提供サーバ３１は、市販されている音楽ＣＤ（Compact Disc）に収録されている楽曲のタイトルやアルバムタイトルなどを配信するサービスを行う。
放送局サーバ３２は、ＦＭ放送やテレビ（ＴＶ）放送などの放送局３７が管理するサーバである。放送局３７は、アンテナ３８を介して無線による放送を行っており、放送局サーバ３２は、放送される楽曲の関連情報の提供サービスを行う。
【００３７】
なお、放送局サーバ３２により提供される関連情報の提供機能は、大別して次の２つに分かれる。第１の機能は、現在放送中の楽曲の関連情報を提供する機能（ナウオンエア）である。第２の機能は、端末装置１０からの要求に応じて、既に放送した、あるいは放送予定の楽曲のリスト（オンエアリスト）を提供する機能である（オンエアリストには、各楽曲の関連情報も含まれる）。たとえば、放送局サーバ３２は、指定された番組内で放送した楽曲の関連情報を提供したり、指定された時間帯内に放送した楽曲の関連情報を提供したりする。
【００３８】
音楽配信サーバ３３は、楽曲のデジタル音声データ（楽曲データ）を配信するサービスを行うサーバである。たとえば、音楽配信サーバ３３は、楽曲の購入手続きを行ったユーザの端末装置１０に対して、楽曲データを提供する。また、音楽配信サーバ３３は、配信する楽曲の関連情報や、試聴用の音声データなどを提供することができる。
【００３９】
ＣＤショップサーバ３４は、音楽ＣＤの通信販売のための注文受け付けなどを行うサーバである。ＣＤショップサーバ３４は、試聴用の音声データなどの配信サービスや、販売しているＣＤに収録された楽曲の関連情報の提供サービスも行う。
【００４０】
インターネットラジオサーバ３５は、インターネットなどの広域ネットワーク経由で音声番組を提供するサーバである。
総合サービスサーバ３６は、ネットワーク３０を介したサービスの提供窓口（ポータルサイト）として機能し、上記の各サーバなどを用いた各種総合サービスの提供を仲介する。たとえば、放送されている楽曲の関連情報の配信元を示す情報（たとえばＵＲＬ）を、端末装置１０に配信する。また、受信地域の周波数に対応する放送局のコールサインを、端末装置１０に配信する。さらに、上記の各種総合サービスを利用するためのユーザの登録手続きや、利用時の認証手続きなどの処理を行う。
【００４１】
このように、複数のサーバが、ネットワーク３０上の楽曲または楽曲集合に関する情報の提供サービスを行っている。すなわち、各サーバが、ネットワーク３０上の楽曲または楽曲集合のソースとして機能している。
【００４２】
なお、音楽配信サーバ３３とＣＤショップサーバ３４は、楽曲購入可能サーバである。従って、ユーザが端末装置１０を操作して楽曲購入可能サーバにアクセスすれば、ネットワーク３０を介して実際に楽曲や楽曲の集合を購入できる。端末装置１０のユーザは、音楽配信サーバ３３に対して購入手続きを行うことで、音楽配信サーバ３３から楽曲データをダウンロードできる。また、端末装置１０のユーザは、ＣＤショップサーバ３４に対して購入手続きを行うことで、音楽ＣＤを自宅に宅配してもらうことができる。
【００４３】
端末装置１０は、ＣＤ２９ａ、ＭＤ（Mini Disc）２９ｂ、ハードディスクドライブ（ＨＤＤ：Hard Disk Drive）２１などの記録媒体に、ローカル上の楽曲または楽曲の集合のソースを保持している。なお、ＣＤ２９ａとＭＤ２９ｂは可搬型の記録媒体であり、端末装置１０に対して容易に着脱できる。端末装置１０に対してどのようなローカルソースが用意されるかは、端末装置１０の種類、目的により異なる。また、端末装置１０は、アンテナ２６を介して放送されるコンテンツを受信することができる。
【００４４】
なお、図２に示したローカル上の楽曲または楽曲集合のソースは一例である。すなわち、端末装置１０のローカルに存在する記録媒体であれば、楽曲または楽曲集合を記録することで、ローカル上の楽曲または楽曲の集合のソースとして機能させることができる。
【００４５】
また、端末装置１０は、クリップした関連情報（クリップ情報）を記憶するクリップ情報記憶装置２１ａを備えている。クリップ情報記憶装置２１ａは、端末装置１０の二次記憶装置である。たとえば、ＨＤＤ２１等の記憶領域の一部を、クリップ情報記憶装置２１ａとして機能させることができる。なお、端末装置１０は、クリップを楽曲に対しても、楽曲集合に対しても行うことができる。これにより、気になる楽曲が多数含まれたＦＭ番組、ＣＤアルバムなどについては、まるごとクリップすることで、１回のクリップ動作で、気になる楽曲集合の関連情報を記録することができる。
【００４６】
図３は、総合サービスサーバ３６のハードウェア構成例を示す図である。
総合サービスサーバ３６は、ＣＰＵ（Central Processing Unit）３６ａによって装置全体が制御されている。ＣＰＵ３６ａには、バス３６ｇを介してＲＡＭ（Random Access Memory）３６ｂ、ハードディスクドライブ（ＨＤＤ）３６ｃ、グラフィック処理部３６ｄ、入力インタフェース（Ｉ／Ｆ）３６ｅ、および通信インタフェース３６ｆが接続されている。
【００４７】
ＲＡＭ３６ｂには、ＣＰＵ３６ａに実行させるＯＳ（Operating System）のプログラムやアプリケーションプログラムの少なくとも一部が一時的に格納される。また、ＲＡＭ３６ｂには、ＣＰＵ３６ａによる処理に必要な各種データが格納される。ＨＤＤ３６ｃには、ＯＳやアプリケーションプログラムが格納される。また、ＨＤＤ３６ｃには、特定の地域ごとに、受信可能な放送局名、後述するコールサインおよび周波数を対応付けて記憶したデータベースや、コールサインと、そのコールサインに対応する放送局の関連情報提供サーバのＵＲＬとを記憶したデータベース、ユーザの登録情報を記憶したデータベースなどが格納される。
【００４８】
グラフィック処理部３６ｄには、表示装置３６ｈが接続されている。グラフィック処理部３６ｄは、ＣＰＵ３６ａからの命令に従って、画像を表示装置３６ｈの画面に表示させる。入力インタフェース３６ｅには、キーボード３６ｉとマウス３６ｊとが接続されている。入力インタフェース３６ｅは、キーボード３６ｉやマウス３６ｊから送られてくる信号を、バス３６ｇを介してＣＰＵ３６ａに送信する。
【００４９】
通信インタフェース３６ｆは、ネットワーク３０に接続されている。通信インタフェース３６ｆは、ネットワーク３０を介して、他のコンピュータとの間でデータの送受信を行う。
【００５０】
以上のようなハードウェア構成によって、本実施の形態の処理機能を実現することができる。なお、図３には、総合サービスサーバ３６のハードウェア構成を代表的に説明したが、他のサーバも同様のハードウェア構成で実現することができる。
【００５１】
また、本実施の形態における端末装置１０は、楽曲の再生機能を有するオーディオ機器としての機能を兼ね備えている。
図４は、端末装置１０の外観を示す図である。
【００５２】
図４に示すように、本実施の形態に係る端末装置１０は、一般的なシステムコンポと同様の外観をしている。端末装置１０は、装置本体１０ａ、スピーカ２５ａ，２５ｂ、およびリモートコントローラ４０で構成される。装置本体１０ａには、ＣＤやＤＶＤ（Digital Versatile Disc）の再生機能、ＭＤの録音再生機能、およびＦＭ放送やＴＶ放送の受信機能を備えている。装置本体１０ａで生成した音声信号がスピーカ２５ａおよび２５ｂに送られることで、スピーカ２５ａおよび２５ｂから音が出力される。
【００５３】
また、装置本体１０ａには、表示装置１７が設けられている。表示装置１７には、再生中の楽曲の関連情報や、クリップによって保存された関連情報などが表示される。
リモートコントローラ４０は、装置本体１０ａを遠隔操作するための入力装置である。リモートコントローラ４０には複数の操作キーが設けられている。ユーザによって操作キーが押されると、赤外線などの無線の通信手段により、押された操作キーに応じた信号がリモートコントローラ４０から装置本体１０ａに送信される。
【００５４】
操作キーとしては、方向キー４１ａ〜４１ｄ、決定キー４２、ファンクション選択キー４３ａ〜４３ｃ、ツールキー４４、戻るキー４５などが設けられる。
方向キー４１ａ〜４１ｄは、たとえば、表示装置１７に表示されたカーソルや、フォースが当てられる場所を移動させるために使用される。４つの方向キー４１ａ〜４１ｄは、それぞれ上、下、左、右それぞれの方向に対応しており、押された方向キーに対応する方向にカーソルなどが移動する。
【００５５】
決定キー４２は、たとえば、表示装置１７に表示された内容を確定するために使用される。
ファンクション選択キー４３ａ〜４３ｃは、機能の選択に使用される。たとえば、３つのファンクション選択キー４３ａ〜４３ｃは、それぞれ総合サービス利用機能、チューナ機能、ローカルコンテンツ管理機能に対応付けられている。そして、ファンクション選択キー４３ａ〜４３ｃの何れか１つが押されると、装置本体１０ａは、押されたファンクション選択キーに対応する機能の動作モードになる。
【００５６】
ツールキー４４は、表示装置１７上にツールメニューを表示させるためのボタンである。ツールメニュー内には、表示装置１７に表示されている内容に応じたコマンドが表示される。ツールメニューからユーザが任意のコマンドを選択し、そのコマンドに応じた処理を端末装置１０に実行させることができる。たとえば、ユーザが方向キー４１ａ〜４１ｄを操作して任意のコマンドを選択し、さらに決定キー４２を押すことで、選択されたコマンドに応じた処理が端末装置１０で実行される。
【００５７】
戻るキー４５は、表示装置１７の表示内容を、直前の状態に戻すためのボタンである。
なお、リモートコントローラ４０には、図４に示したもの以外にも様々な操作キーを設けることができる。たとえば、音量調節キー、音楽ＣＤなどの再生キー、停止キーなどである。
【００５８】
次に、端末装置１０の内部構成を説明する。
図５は、端末装置１０のハードウェア構成を示すブロック図である。図５に示すような端末装置１０により、楽曲などの様々なソースの管理、記録、再生が可能となる。
【００５９】
ＣＰＵ１１は、起動されたプログラムに基づいて端末装置１０の全体の制御、演算処理を行う。たとえばネットワーク３０を介した通信動作、ユーザに対する入出力動作、メディアからのコンテンツ再生やクリップ、ＨＤＤ２１へのコンテンツ記憶やそのための管理、クリップ情報などに基づくネットワーク３０を介した情報検索などを行う。なお、本実施の形態の端末装置１０が対応して記録再生可能なコンテンツデータとしては、オーディオのコンテンツデータや動画のコンテンツデータがある。ＣＰＵ１１は、バス１２を介して各回路部との間で制御信号やデータのやりとりを行う。
【００６０】
ＲＯＭ（Read Only Memory）１３は、ＣＰＵ１１が実行すべき動作プログラム、プログラムローダーや、各種演算係数、プログラムで用いるパラメータなどが記憶される。また、ＲＡＭ２０には、ＣＰＵ１１が実行すべきプログラムが展開される。また、ＣＰＵ１１が各種処理を実行する際において必要となるデータ領域、タスク領域としても用いられる。
【００６１】
操作入力部１５は、端末装置１０の筐体に設けられた操作キーやジョグダイヤル、タッチパネルなどの各種操作子などを有する。なお、ＧＵＩ（Graphical User Interface）操作のためのキーボードやマウスが操作入力部１５として設けられてもよい。操作入力部１５で入力された情報は入力処理部１４において所定の処理が施され、ＣＰＵ１１に対して操作コマンドとして伝送される。ＣＰＵ１１は入力された操作コマンドに応答した機器としての動作が得られるように、所要の演算や制御を行う。
【００６２】
表示装置１７としては、たとえば液晶ディスプレイ（ＬＣＤ：Liquid Crystal Display）などの表示デバイスが接続され、各種情報表示が行われる。ＣＰＵ１１が各種動作状態や入力状態、通信状態に応じて表示情報を表示処理部１６に供給すると、表示処理部１６は供給された表示データに基づいて表示装置１７に表示動作を実行させる。たとえば、表示装置１７には、サーバなどから配信された関連情報の内容や、クリップ情報の内容が表示される。また、ネットワーク３０を介した楽曲の検索が行われた場合、検索結果が表示装置１７に表示される。
【００６３】
メディアドライブ１９ａおよび１９ｂは、可搬型の記録媒体に記録された楽曲などのコンテンツを記録、再生（記録媒体によって再生のみの場合もある）することができるドライブである。なお、メディアドライブ１９ａおよび１９ｂのそれぞれが記録または再生可能な記録媒体の種類は、１種類とは限らない。すなわち、複数の種類の記録媒体に対して記録、再生を行うことも可能である。たとえば、メディアドライブ１９ａがＣＤ、ＤＶＤの再生を行い、メディアドライブ１９ｂがＭＤの記録再生を行う。
【００６４】
なお、楽曲などのコンテンツを記録する可搬型の記録媒体としては、ＣＤ、ＤＶＤ等の光学的な記録媒体に限定されるべきものではない。たとえば、フラッシュメモリなどの半導体メモリにより構成された記録媒体にコンテンツを格納することもできる。その場合、フラッシュメモリのリーダライタがバス１２に接続される。
【００６５】
ユーザは、メディアドライブ１９ａおよび１９ｂに、任意のコンテンツが記録された記録媒体（ＣＤ，ＤＶＤ，ＭＤなど）を挿入し、リモートコントローラ４０の所定の操作を行うことで、楽曲などを鑑賞することができる。たとえば、ユーザがリモートコントローラ４０を操作し、メディアドライブ１９ａによる再生指示を行うと、ＣＰＵ１１はメディアドライブ１９ａに対してコンテンツの再生を指示する。これに応じて、メディアドライブ１９ａは、装填されている記録媒体から、指定されたコンテンツにアクセスして読み出しを実行する。
【００６６】
このようにして読み出されたコンテンツが、オーディオコンテンツである場合には、必要に応じてＣＰＵ１１の処理によりデコード処理等が施された後、オーディオ出力処理部２４に転送される。オーディオ出力処理部２４においては、イコライジングなどの音場処理や音量調整、Ｄ／Ａ変換、増幅などの処理が施され、スピーカ部２５から出力される。なお、スピーカ部２５は、図４に示したような複数のスピーカ２５ａおよび２５ｂで構成され、ステレオで音声を出力することができる。
【００６７】
また、メディアドライブ１９ａおよび１９ｂにて再生されたコンテンツは、ＣＰＵ１１の制御によって、ＨＤＤ２１にオーディオデータファイルとして蓄積することもできる。なお、このオーディオデータファイルの形式としては、音楽ＣＤフォーマットに対応するサンプリング周波数４４．１ＫＨｚ、１６ビット量子化によるデジタルオーディオデータとしてもよい。また、ＨＤＤ２１の容量を節約するために、所定方式にしたがって圧縮処理が施された形式の圧縮オーディオデータとされてもよい。また、圧縮方式としても限定されるものではないが、ＡＴＲＡＣ（Advanced TRansform Acoustic Coding、商標）方式やＭＰ３（MPEG Audio Layer-3）方式などを採用することができる。
【００６８】
チューナ２７は、たとえばＡＭ・ＦＭラジオチューナとされ、ＣＰＵ１１の制御に基づいてアンテナ２６で受信された放送信号を復調する。もちろんテレビチューナや衛星放送チューナ、デジタル放送チューナなどとしてのチューナでもよい。復調された放送音声信号は、オーディオ出力処理部２４において所要の処理が施され、スピーカ部２５から放送音声として出力される。
【００６９】
通信処理部２２は、ＣＰＵ１１の制御に基づいて送信データのエンコード処理、受信データのデコード処理を行う。ネットワークインタフェース２３は、通信処理部２２でエンコードされた送信データを、ネットワーク３０を介して所定の外部ネットワーク対応機器に送信する。また、ネットワークインタフェース２３は、ネットワーク３０を介して外部ネットワーク対応機器から送信されてきた信号を通信処理部２２に受け渡す。通信処理部２２は受信した情報をＣＰＵ１１に転送する。ネットワーク３０を介して受信する情報には、たとえば、ＦＭ放送などで放送中の番組の関連情報や、音楽ＣＤなどのタイトルに含まれる楽曲の情報がある。
【００７０】
赤外線通信部２８は、リモートコントローラ４０との間で、赤外線などの無線の通信手段で通信を行う。そして、赤外線通信部２８は、リモートコントローラ４０から送られた信号に所定の処理を施し、ＣＰＵ１１に対して操作コマンドとして伝送する。ＣＰＵ１１は入力された操作コマンドに応答した機器としての動作が得られるように、所要の演算や制御を行う。
【００７１】
なお、端末装置１０の構成は、この図５の構成に限られるものではなく、更に多様に考えられる。たとえばＵＳＢ（Universal Serial Bus）、ＩＥＥＥ（Institute of Electrical and Electronic Engineers）１３９４、Ｂｌｕｅｔｏｏｔｈなどの通信方式による周辺機器とのインタフェースが設けられるようにしてもよい。そして、上記ネットワークインタフェース２３によりネットワーク３０を介してダウンロードしたオーディオのコンテンツや、上記ＵＳＢ、ＩＥＥＥ１３９４などのインタフェースを経由して転送されてきたオーディオのコンテンツについても、ＨＤＤ２１に対して記憶させることができる。またマイクロホンや外部のヘッドホンの接続に用いられる端子や、ＤＶＤ再生時に対応するビデオ出力端子、ライン接続端子、光デジタル接続端子などが設けられてもよい。また、ＰＣＭＣＩＡ（Personal Computer Memory Card International Association）スロット、メモリカードスロットなどが形成され、外部の情報処理装置やオーディオ機器とデータのやりとりが可能とされてもよい。
【００７２】
次に、本実施の形態のシステムにおけるプログラムモジュールの構成について説明する。なお、プログラムモジュールは端末装置１０に実行させる処理を記述した情報であり、プログラムモジュールに基づいて端末装置１０が所定の機能を実現することができる。以下の説明では、プログラムモジュールを実行することで実現される機能を、そのプログラムモジュールの名称で呼ぶこととする。
【００７３】
図６は、端末装置のプログラムモジュール構成を示す図である。
図６に示すように端末装置１０のプログラムモジュールはＯＳ上で動作するように構成されている。端末装置１０は、各プログラムモジュールの機能によって、ＣＤタイトル情報提供サーバ３１、放送局サーバ３２、音楽配信サーバ３３、ＣＤショップサーバ３４、総合サービスサーバ３６、インターネットラジオサーバ３５、その他の各種サーバと通信を行うことができる。
【００７４】
ＨＴＴＰ（Hyper Text Transfer Protocol）メッセージプログラム１１１は、ＣＤタイトル情報提供サーバ３１、放送局サーバ３２、ＣＤショップサーバ３４、および総合サービスサーバ３６などの各種サーバとの間のやりとりをＨＴＴＰ通信で行うものである。コミュニケータプログラム１１２は、総合サービスサーバ３６などと各種通信を行う通信モジュールである。
【００７５】
コミュニケータプログラム１１２の上位（ユーザインタフェースに近い機能）には、コンテンツのコーデックを解釈して再生するコンテンツ再生モジュール１１３、著作権保護に関する情報を取り扱う著作権保護情報管理モジュール１１４が位置する。コンテンツ再生モジュール１１３の上位には、インターネットラジオの選局および再生を行うインターネットラジオ選局再生モジュール１１８が設けられている。著作権保護情報管理モジュール１１４の上位には、楽曲購入および試聴曲の再生を司る楽曲購入再生モジュール１１９が設けられている。
【００７６】
それらインターネットラジオ選局再生モジュール１１８、楽曲購入再生モジュール１１９の上位には、ＸＭＬ（eXtensible Markup Language）ブラウザ１５１が設けられている。ＸＭＬブラウザ１５１は、各種サーバから送られるＸＭＬファイルの内容を解釈し、表示装置１７に対して画面表示を行う。また、端末装置１０が総合サービス利用モードのときにユーザが端末装置１０に対して行った入力内容は、ＸＭＬブラウザ１５１で解釈される。そして、ＸＭＬブラウザ１５１から他のモジュールへ、入力内容に応じた処理要求などが渡される。たとえば、ＸＭＬブラウザ１５１を介してユーザに選択された楽曲は楽曲購入再生モジュール１１９で購入され、ハードディスクコンテンツコントローラ１１７を介してＨＤＤ２１に書き込まれる。
【００７７】
コミュニケータプログラム１１２には、ライブラリ１３０の認証ライブラリ１３１が接続されている。認証ライブラリ１３１は、総合サービスサーバ３６やその他の各種サーバの認証処理を行う。
【００７８】
さらにコミュニケータプログラム１１２の上位には、データベースアクセスモジュール１１５、コンテンツデータアクセスモジュール１１６およびハードディスクコンテンツコントローラ１１７が設けられている。データベースアクセスモジュール１１５は、ＨＤＤ２１に構築された各種データベースにアクセスする。コンテンツデータアクセスモジュール１１６は、ＨＤＤ２１に格納されたコンテンツにアクセスする。ハードディスクコンテンツコントローラ１１７は、ＨＤＤ２１に格納されたコンテンツを管理する。
【００７９】
ハードディスクコンテンツコントローラ１１７の上位には、関連情報表示モジュール１２０、チューナ選局再生／録音モジュール１２１、および楽曲購入再生モジュール１１９が設けられている。関連情報表示モジュール１２０は、ラジオ局が放送した楽曲のタイトルおよびアーティスト名などを表示装置１７に表示する。チューナ選局再生／録音モジュール１２１は、ラジオ局を選局したり、当該ラジオ局から受信した楽曲のコンテンツをＨＤＤ２１に録音したりする。
【００８０】
たとえば、オーディオユーザインタフェース（ＡｕｄｉｏＵＩ）１５２を介して選局されたラジオ局から受信した楽曲は、コンテンツデータアクセスモジュール１１６を介してＨＤＤ２１へ書き込まれる。
【００８１】
関連情報表示モジュール１２０は、チューナ選局再生／録音モジュール１２１によって現在ラジオ局が放送している楽曲のタイトルやアーティスト名などを、関連情報としてＣＤタイトル情報提供サーバ３１、放送局サーバ３２などからＨＴＴＰメッセージプログラム１１１経由で受信し、これをオーディオユーザインタフェース１５２を介して表示装置１７に表示する。
【００８２】
なお、オーディオユーザインタフェース１５２を介して表示装置１７に表示した関連情報は、ライブラリ１３０のクリップライブラリ１３２に一時的に記憶させることができる。また、関連情報は、ユーザからの指示に従って最終的にはデータベースアクセスモジュール１１５を介してＨＤＤ２１へ記憶させることもできる。
【００８３】
さらに端末装置１０のプログラムモジュールとしては、ＣＤを再生するためのＣＤ再生モジュール１４１と、ＨＤＤ２１を再生するためのＨＤＤ再生モジュール１４２とが含まれており、再生結果をオーディオ出力処理部２４およびスピーカ部２５を介して出力する。
【００８４】
次に、上記の端末装置１０を用いたクリップ処理について説明する。
端末装置１０では、端末装置１０内の各記憶媒体や、ネットワーク３０上に存在する楽曲や楽曲集合について、それらに関する情報をクリップし、クリップ情報として保存することが可能となっている。最も基本的なクリップの処理は、ＦＭ放送などの放送受信中に、放送されている楽曲に関する関連情報を、対応する放送局サーバ３２から取得することである（ナウオンエア）。この場合、たとえば、端末装置１０は、３０秒といった一定時間間隔で、受信中の放送局３７に対応する放送局サーバ３２にアクセスし、最新の関連情報（すでに放送された、あるいは放送予定の楽曲に関する情報）を取得する。そして、ユーザからのクリップ操作を検出すると、その時点で取得していた関連情報をクリップ情報として保存する。
【００８５】
クリップした関連情報には、その楽曲の曲名、アーティスト名の他、たとえば、その楽曲が収録されているアルバム名や、そのアルバムの識別ＩＤなどが含まれる。そして、ユーザはたとえば、端末装置１０を用いて音楽配信サーバ３３やＣＤショップサーバ３４にアクセスし、クリップ情報中のアルバムの識別ＩＤをこれらのサーバに通知することにより、そのアルバムの購入手続きを行うことが可能となる。
【００８６】
なお、クリップ処理では、楽曲単位の他、楽曲集合の単位でそれらに関する情報をクリップ情報として保存することが可能である。たとえば、放送受信中のクリップ処理では、クリップ時に放送中の番組で放送される楽曲のリスト（オンエアリスト）を単位として、１つのクリップ情報として保存することが可能である。
【００８７】
また、放送局サーバ３２からの情報を用いたクリップ処理で取得し、保存することが可能な情報は、現在放送中のものを含む楽曲または楽曲集合に限らない。ユーザは、端末装置１０において日付や時間帯などを検索条件として指定し、放送局サーバ３２に送信して、検索結果として楽曲や楽曲集合を取得する。そして、取得した情報の中から所望のものを選択してクリップし、クリップ情報として保存する。
【００８８】
このように、クリップにより放送局サーバ３２から関連情報を取得するためには、受信周波数に対応する放送局の情報提供元を端末装置１０が取得する必要がある。本実施の形態に係るネットワークシステムにおいては、総合サービスサーバ３６が、各放送局についての関連情報提供元のＵＲＬを検索するサービスを提供している。このサービスでは、放送局を特定するための識別情報としてコールサインが用いられる。そして、端末装置１０は、総合サービスサーバ３６に対してコールサインを送信することにより、総合サービスサーバ３６で検索されたＵＲＬを受信し、そのＵＲＬにアクセスすることが可能となる。
【００８９】
また、ＦＭラジオ放送局からの放送信号は、受信可能な地域が限定されるので、同じ放送周波数を、離れた地域に位置する複数のラジオ局が使用している場合があり、受信周波数とコールサインとは必ずしも一致しない。このため、総合サービスサーバ３６は、端末装置１０から、地域を特定する地域情報を受信して、この地域において受信可能な放送局名、コールサインおよび周波数を対応付けた情報のリストである放送局リストを提供するサービスも提供している。
【００９０】
ここで、端末装置１０を購入したユーザが、放送局サーバ３２から関連情報の提供を受けるまでの基本的な処理の流れについて説明する。まず、図７は、関連情報提供サービスを受けるための事前設定の基本的な処理シーケンスを示す図である。
【００９１】
ステップＳ１１において、ユーザの操作入力により、総合サービスサーバ３６へのユーザ登録が開始される。ここでは、端末装置１０が総合サービスサーバ３６に接続する。そして、端末装置１０の表示装置１７には、ユーザの登録情報の入力画面が表示され、ユーザはリモートコントローラ４０を用いて、情報を入力する。登録情報としては、たとえば、ユーザＩＤ、パスワード、ユーザの氏名、住所、電話番号、メールアドレス、クレジットカード番号などが入力される。また、１ユーザが複数の端末装置を用いてサービスを利用することが可能となるように、端末装置１０を識別する任意の装置名を入力してもよい。なお、本実施の形態では、ユーザＩＤ、パスワードおよび装置名は、ユーザ側が任意に指定できるものとする。
【００９２】
以上の登録情報が、総合サービスサーバ３６に送信されると、ステップＳ１２において、総合サービスサーバ３６はこれらを受信して、ユーザ登録用のデータベースに登録し、登録の完了を端末装置１０に通知する。ステップＳ１３において、端末装置１０は、総合サービスサーバ３６からの登録完了通知を受信して、ユーザ登録処理が終了する。
【００９３】
なお、以上の処理例では、端末装置１０を用いてオンラインでユーザ登録を行うようにしたが、たとえばハガキなどの手段によりユーザ登録を行うようにしてもよい。
この後、ユーザは、端末装置１０においてたとえばラジオ放送を聴取するためのプリセット処理を行う。ステップＳ１４において、放送が受信される周波数をプリセットする。たとえば、端末装置１０は、受信周波数を自動的に変化させ、放送の受信を検出すると、その周波数にプリセット番号を順次割り当て、記憶する（オートチューニング）。あるいは、ユーザ操作により受信周波数を変化させて、順次記憶させてもよい。
【００９４】
ステップＳ１５において、ユーザＩＤ、パスワードおよび装置名を、総合サービスサーバ３６に送信し、受信可能な放送局についての情報のリスト（放送局リスト情報）を要求する。
【００９５】
ステップＳ１６において、総合サービスサーバ３６は、受信したユーザＩＤ、パスワードおよび装置名に基づいて認証処理を行い、登録済みのユーザと判定した場合にこの旨を端末装置１０に通知する。
【００９６】
ステップＳ１７において、端末装置１０は、総合サービスサーバ３６からの通知を受信すると、放送を受信する地域を特定する地域情報を総合サービスサーバ３６に送信する。
ステップＳ１８において、総合サービスサーバ３６は、受信した地域情報に基づいて、その地域で受信可能な放送局名、周波数およびコールサインを対応付けた放送局リスト情報をデータベースから抽出し、端末装置１０に送信する。
【００９７】
ステップＳ１９において、端末装置１０は、受信した放送局リスト情報に基づき、プリセットした周波数に対応する放送局名およびコールサインをプリセットする。
以上のプリセット処理により、端末装置１０には、放送が受信された周波数に対応する放送局名およびコールサインが、受信地域に応じて正確に記憶される。そして、ユーザ操作によりプリセット番号を選択することで、受信する放送局名を表示装置１７に表示させることができるとともに、関連情報の要求時に、対応するコールサインを読み出して利用することが可能となる。
【００９８】
次に、図８は、以上のようにプリセットした情報を用いて、放送局サーバ３２より関連情報を取得するための処理シーケンスを示す図である。
ステップＳ２１において、端末装置１０では、ユーザ操作によりプリセット番号が選択され、放送局が選局される。これにより、選局された放送が受信され、再生出力される。
【００９９】
ステップＳ２２において、ユーザＩＤ、パスワードおよび装置名を総合サービスサーバ３６に送信し、情報提供元のＵＲＬを要求する。
ステップＳ２３において、総合サービスサーバ３６は、受信したユーザＩＤ、パスワードおよび装置名に基づいて認証処理を行い、登録済みのユーザと判定した場合にこの旨を端末装置１０に通知する。
【０１００】
ステップＳ２４において、端末装置１０は、総合サービスサーバ３６からの通知を受信すると、選択されたプリセット番号に対応付けて記憶されたコールサインを読み出して、総合サービスサーバ３６に送信する。
【０１０１】
ステップＳ２５において、総合サービスサーバ３６は、受信したコールサインに対応する放送局の放送局サーバ３２のＵＲＬをデータベースから抽出し、端末装置１０に送信する。
【０１０２】
ステップＳ２６において、端末装置１０は、受信したＵＲＬにアクセスして、関連情報の提供を要求する。
ここで、放送局サーバ３２でのユーザ認証のために、たとえば、ステップＳ２５では、対応するＵＲＬとともに、このＵＲＬへのアクセス権限の有効時間を記述したチケット情報を端末装置１０に送信する。そして、端末装置１０は、ステップＳ２６で、受信したチケット情報を放送局サーバ３２に送信する。
【０１０３】
このような処理が行われた場合、ステップＳ２７において、放送局サーバ３２は、端末装置１０からのチケット情報に基づき、有効時間内である場合には正規のユーザと判断する。そして、ステップＳ２８において、現在放送中の楽曲、あるいはその時間帯に放送される楽曲の関連情報を、端末装置１０に送信する。
【０１０４】
ステップＳ２９において、端末装置１０は、受信した関連情報をたとえばＲＡＭ２０に一時的に記憶するとともに、その内容を表示装置１７の表示領域の一部に表示する。
ステップＳ３０において、ユーザ操作によりクリップが行われない場合には、たとえば３０秒といった一定時間が経過するたびにステップＳ２６に戻り、放送局サーバ３２に対して関連情報を要求する。これにより、端末装置１０に一時的に保持され、表示装置１７に表示される関連情報は、一定時間ごとに更新されることになる。
【０１０５】
また、クリップ操作が行われると、ステップＳ３１に進み、そのときに一時的に記憶しておいた関連情報を、クリップ情報としてＨＤＤ２１に保存する。なお、関連情報はその後も継続して受信し、さらにクリップを行うことも可能である。
【０１０６】
ところで、以上のフローチャートでは、端末装置１０におけるプリセット処理の前に、総合サービスサーバ３６に対するユーザ登録が行われていた。しかし、実際には、端末装置１０を購入したユーザは、ネットワーク接続などを行うより前に、ラジオ放送などの放送を受信しようと考えることが多い。この場合には、ユーザは当然、放送の受信周波数のプリセットを行うと考えられるが、総合サービスサーバ３６にアクセスして、放送局リスト情報を取得することができないので、放送局名などをユーザ操作によりマニュアル入力する必要が生じる。また、このときコールサインを正確に記憶することができないので、後にユーザ登録を行い、関連情報を取得しようとしたときには、コールサインのプリセットをあらためて行う必要が生じる。
【０１０７】
このような事態を防ぐために、端末装置１０は、受信可能な放送局に関する情報を地域ごとに対応付けた放送局対応情報を、たとえばＨＤＤ２１内にあらかじめ記憶している。そして、ユーザ登録が済んでいないユーザは、総合サービスサーバ３６にアクセスすることなく、この放送局対応情報を基に放送局名やコールサインをプリセットすることができるようになっている。
【０１０８】
図９は、端末装置１０に記憶された放送局対応情報のデータ構造例を示す図である。
図９に示すように、端末装置１０は、電波により伝送している周波数、その放送局名およびコールサインを、受信可能な地域に対応付けて記憶した放送局対応情報を、たとえばＨＤＤ２１内に記憶している。従って、ユーザ操作により地域を指定することにより、この地域で受信可能な周波数、放送局名およびコールサインを組み合わせた情報のリストを抽出することができる。
【０１０９】
図１０は、サービスへの未登録時におけるプリセット処理の流れを示すフローチャートである。
本実施の形態では、端末装置１０は、オートプリセット、およびマニュアルプリセットの２種類のプリセット方法が用意され、ユーザが選択して使用することが可能となっている。オートプリセットでは、放送を受信することができる周波数を自動的に検出（オートチューニング）してプリセット番号を割り当て、さらに、検出された各周波数に放送局名およびコールサインを自動的に関連付けて記憶する。また、マニュアルプリセットでは、以上の処理がユーザの操作入力に応じて行われる。なお、ユーザの操作入力は、基本的にリモートコントローラ４０を用いて行われるものとする。
【０１１０】
ステップＳ４１において、ユーザの操作入力に応じて、プリセット方法が選択される。オートプリセットが選択された場合はステップＳ４２に進み、マニュアルプリセットが選択された場合はステップＳ４７に進む。
【０１１１】
ステップＳ４２において、受信周波数を徐々に変化させて、放送が受信された周波数を自動的に検出する。そして、検出された周波数にプリセット番号を順次割り当てて記憶する。
【０１１２】
ステップＳ４３において、放送を受信する地域を入力させる画面を表示装置１７に表示し、ユーザからの入力を受ける。ここでは、たとえば、地域名を一覧表示し、方向キー４１ａおよび４１ｂにより選択させ、決定キー４２により確定させる。
【０１１３】
ステップＳ４４において、ＨＤＤ２１に記憶している放送局対応情報から、ステップＳ４３で入力された地域に対応する周波数、放送局名およびコールサインのリストを抽出する。
【０１１４】
ステップＳ４５において、抽出したリストから、ステップＳ４２で記憶されたものと一致する周波数を順次取り出し、この周波数に対応する放送局名およびコールサインを、対応するプリセット番号に関連付けて記憶する。
【０１１５】
ステップＳ４４において、ステップＳ４２で記憶されたすべてのプリセット番号について、放送局名およびコールサインが記憶されたか否かを判断する。全番号について記憶された場合は処理を終了する。また、リスト内に存在しない周波数が記憶されたプリセット番号が存在する場合には、ステップＳ５０に進み、これらのプリセット番号について、ユーザのマニュアル入力によりプリセットが行われる。
【０１１６】
一方、ステップＳ４１でマニュアルプリセットが選択された場合には、ステップＳ４７において、ユーザ操作に応じて受信周波数を変化させ、放送が受信された周波数に対してプリセット番号を割り当てて記憶する。
【０１１７】
ステップＳ４８およびＳ４９の処理は、ステップＳ４３およびＳ４４とそれぞれ同様である。すなわち、ステップＳ４８において、放送を受信する地域を入力させる画面を表示装置１７に表示し、ユーザからの入力を受ける。そして、ステップＳ４９において、ＨＤＤ２１に記憶している放送局対応情報から、ステップＳ４７で入力された地域に対応する周波数、放送局名およびコールサインのリストを抽出する。
【０１１８】
ステップＳ５０において、放送局名およびコールサインが記憶されていないプリセット番号ごとに、放送局名を一覧表示してユーザの選択を可能とする画面を、表示装置１７に表示する。この処理では、上記のステップＳ４４またはＳ４９において抽出されたリストから、放送局名が抽出されて一覧表示される。なお、このとき表示される画面表示例を、後の図１１に示すことにする。
【０１１９】
ステップＳ５１において、リモートコントローラ４０の方向キー４１ａ，４１ｂおよび決定キー４２を用いることにより、一覧表示の中から放送局名が選択され、確定されると、ステップＳ５２に進む。
【０１２０】
ステップＳ５２において、抽出したリストの中から、ステップＳ５１で選択された放送局名と、これに対応するコールサインとを抽出して、当該プリセット番号に関連付けて記憶する。
【０１２１】
ステップＳ５３において、すべてのプリセット番号について処理が終了していない場合はステップＳ５０に戻り、放送局名およびコールサインが記憶されていない次のプリセット番号について処理を続行する。そして、すべてのプリセット番号について処理が終了するまで繰り返される。
【０１２２】
図１１は、上記のステップＳ５０において、放送局名を一覧表示した画面の画面表示例を示す図である。
図１１の画面において、表示部１７１には、選択されたプリセット番号と、受信周波数とが表示され、その下の一覧表示部１７２に、放送局対応情報から抽出されたリスト中の放送局名が一覧表示される。そして、方向キー４１ａおよび４１ｂにより一覧表示部１７２内のいずれかの放送局名にフォーカスを移動させ、決定キーにより確定することで、その放送局名と対応するコールサインとをプリセットさせることができる。
【０１２３】
以上の処理では、端末装置１０にあらかじめ記憶された放送局対応情報を利用することにより、総合サービスサーバ３６にアクセスすることなく、受信可能な周波数に対して放送局名およびコールサインを対応付けてプリセットすることができる。また、上記のプリセット手順により、端末装置１０が設置された地域において電波で受信可能な放送局名およびそのコールサインを一覧表示させてユーザが選択することで、マニュアルプリセットを選択した場合はもちろん、オートプリセットを選択した場合にも、これらの情報を周波数に対して簡単な操作で正確に関連付けて記憶させることができる。たとえば、ケーブルテレビなどにより電波の場合と異なる周波数を用いてラジオ放送が伝送されていたときでも、放送局名およびコールサインを容易かつ正確にプリセットすることができる。
【０１２４】
従って、端末装置１０のユーザは、関連情報の提供サービスに対するユーザ登録を行う前であっても、上記のプリセット処理を完了することが可能となり、選局の際に、受信された周波数に対応する放送局を正確に表示させることができる。これとともに、その後に関連情報の提供サービスへのユーザ登録を行った場合に、あらためてコールサインをプリセットすることなく、サービスを利用することが可能となる。
【０１２５】
さらに、関連情報の提供サービスはすべての放送局が行っているとは限らないため、総合サービスサーバ３６は、端末装置１０からコールサインの指定を受けることで、対応する放送局によるサービス提供の有無（すなわちＵＲＬの有無）を、無償でユーザに通知するサービスを提供している。このような場合に、端末装置１０では、受信可能な放送局のコールサインが上記処理によりユーザ登録前にプリセットされるので、関連情報の提供を望む放送局がサービスを提供しているか否かを、端末装置１０を通じてユーザが確認した後、ユーザ登録を行うことが可能となる。
【０１２６】
なお、端末装置１０にあらかじめ記憶された放送局対応情報は、ユーザ登録後に、最新版を総合サービスサーバ３６からダウンロードし、内容を更新可能としてもよい。これにより、たとえば、放送局名や周波数割り当てが変更された場合、あるいは受信可能な放送局が増えた場合などに対応することができる。また、放送局対応情報を端末装置１０に内装させる対価として、総合サービスサーバ３６の運営者は、端末装置１０のメーカに対して、たとえば販売台数に応じた金額などを徴収するようにしてもよい。
【０１２７】
また、上記の端末装置１０の処理機能は、この処理内容を記述したプログラムが、端末装置１０内のＣＰＵ１１で実行されることにより実現される。また、同様なプログラムがコンピュータ内のＣＰＵで実行されることにより、上記処理機能がコンピュータにより実現されてもよい。処理内容を記述したプログラムは、端末装置１０やコンピュータで読み取り可能な記録媒体に記録しておくことができる。このような記録媒体としては、磁気記録装置、光ディスク、光磁気記録媒体、半導体メモリ等がある。磁気記録装置には、ＨＤＤ、フレキシブルディスク（ＦＤ）、磁気テープ等がある。光ディスクには、ＤＶＤ、ＤＶＤ−ＲＡＭ、ＣＤ−ＲＯＭ、ＣＤ−Ｒ（Recordable）／ＲＷ（ReWritable）等がある。光磁気記録媒体には、ＭＯ（Magneto-Optical disk）等がある。
【０１２８】
プログラムを流通させる場合には、たとえば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１２９】
プログラムを実行する端末装置１０やコンピュータは、たとえば、可搬型記録媒体に記録されたプログラムまたはサーバコンピュータから転送されたプログラムを、自己の記憶装置に格納する。端末装置１０の場合、たとえばＨＤＤ２１などに格納する。そして、端末装置１０やコンピュータは、自己の記憶装置からプログラムを読み取り、プログラムに従った処理を実行する。なお、端末装置１０やコンピュータは、可搬型記録媒体から直接プログラムを読み取り、そのプログラムに従った処理を実行することもできる。また、サーバコンピュータからプログラムが転送される毎に、逐次、受け取ったプログラムに従った処理を実行することもできる。
【図面の簡単な説明】
【０１３０】
【図１】本発明を適用したネットワークシステムの動作原理を示す説明図である。
【図２】本発明の実施の形態に係るネットワークシステムの構成例を示す図である。
【図３】本発明の実施の形態に係る総合サービスサーバのハードウェア構成例を示す図である。
【図４】本発明の実施の形態に係る端末装置の外観を示す図である。
【図５】本発明の実施の形態に係る端末装置のハードウェア構成を示すブロック図である。
【図６】本発明の実施の形態に係る端末装置のプログラムモジュール構成を示す図である。
【図７】関連情報提供サービスを受けるための事前設定の基本的な処理シーケンスを示す図である。
【図８】放送局サーバより関連情報を取得するための処理シーケンスを示す図である。
【図９】端末装置に記憶された放送局対応情報のデータ構造例を示す図である。
【図１０】サービスへの未登録時におけるプリセット処理の流れを示すフローチャートである。
【図１１】放送局名を一覧表示した画面の画面表示例を示す図である。
【符号の説明】
【０１３１】
１……情報処理装置、１ａ……放送信号受信手段、１ｂ……放送信号再生手段、１ｃ……送信手段、１ｄ……関連情報受信手段、１ｅ……表示手段、１ｆ……対応情報記憶手段、１ｇ……受信設定記憶手段、２……放送局情報サーバ、３……総合サーバ、４……ネットワーク
【図１】
2005109637.tif 000003
【図２】
2005109637.tif 000004
【図３】
2005109637.tif 000005
【図４】
2005109637.tif 000006
【図５】
2005109637.tif 000007
【図６】
2005109637.tif 000008
【図７】
2005109637.tif 000009
【図８】
2005109637.tif 000010
【図９】
2005109637.tif 000011
【図１０】
2005109637.tif 000012
【図１１】
2005109637.tif 000013